【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
相変化インク画像形成デバイス用の複数種類のインクスティックを含むインクスティックセットであって、
第１のインク色を有する第１のインクスティックであって、第１のインクスティックを第１のインク色を持つインクスティックとして識別する第１の構造的機構と、相変化インク画像形成デバイスの第１モデルのインクローダへの装填口に第１のインクスティックを通すことを可能にし、相変化インク画像形成デバイスの第２モデルのインクローダへの装填口にも第１のインクスティックを通すことを可能にする第２の構造的機構と、を有する第１のインクスティックと、
第１のインク色を有する第２のインクスティックであって、第１のインクスティックと第２のインクスティックとを第１のインク色を持つインクスティックとして識別する第１の構造的機構と、相変化インク画像形成デバイスの第２モデルのインクローダへの装填口に第２のインクスティックを通すことを可能にし、相変化インク画像形成デバイスの第１のモデルのインクローダへの装填口には第２のインクスティックを通すことを不可能にする第３の構造的機構と、を有する第２のインクスティックと、
を含み、
第２の構造的機構と第３の構造的機構の形状を除き、第１のインクスティックと第２のインクスティックとがほぼ同一形状を有する、インクスティックセット。
【請求項２】
請求項１記載のインクスティックセットであって、相変化インク画像形成デバイスの第１モデル及び相変化インク画像形成デバイスの第２モデルの第１インクローダ及び第２インクローダの装填口に通す方向にほぼ直行する方向における第２インクスティックの寸法が、第１インクスティックの対応する寸法よりも大きいインクスティックセット。
【請求項３】
請求項１に記載のインクスティックセットであって、
第１のインクスティックの第１の構造的機構は、第１のインクスティックの装填縁上の第１の位置に設けられた第１の突出部であり、
第１のインクスティックの第２の構造的機構は、第１のインクスティックの前記装填縁上の第２の位置に設けられた第２の突出部であり、
第２のインクスティックの前記第１の構造的機構は、第１のインクスティックの前記装填縁上の前記第１の位置に対応する、第２のインクスティックの装填縁上の第１の位置に設けられた第１の突出部であり、
第２のインクスティックの前記第３の構造的機構は、第１のインクスティックの前記装填縁上の前記第２の位置に対応する、第２のインクスティックの前記装填縁上の第２の位置に設けられた第２の突出部である、インクスティックセット。
【請求項４】
請求項１に記載のインクスティックセットであって、
第１のインクスティックの第２の構造的機構と、第２のインクスティックの第３の構造的機構とは、それぞれ異なる形状であり
相変化インク画像形成デバイスの第１及び第２モデルのそれぞれのインクローダの装填口に通す方向にほぼ直交する方向における第３の構造的機構の寸法が、第１のインクスティックの第２の構造的機構の対応する寸法より大きい、インクスティックセット。
【請求項５】
請求項１に記載のインクスティックセットであって、
さらに、第１のインク色を有する第３のインクスティックであって、第１，第２及び第３のインクスティックを第１のインク色を持つインクスティックとして識別する第１の構造的機構と、第４の構造的機構と、相変化インク画像形成デバイスの第３モデルのインクローダへの装填口に第３のインクスティックを通すことを可能にし、相変化インク画像形成デバイスの第１及び第２のモデルのインクローダへの装填口には第３のインクスティックを通すことを不可能にする第４の構造的機構と、を有する第３のインクスティックを含み、
第２，第３及び第４の構造的機構の形状を除き、第１，第２及び第３のインクスティックがほぼ同一形状を有し、
第１及び第２のインクスティックの第２及び第３の構造的機構は、相変化インク画像形成デバイスの第３モデルのインクローダへの装填口には第１及び第２のインクスティックを通過することを不可能にする、インクスティックセット。
【請求項６】
請求項５に記載のインクスティックセットであって、
第１，第２及び第３のインクスティックの第２，第３及び第４の構造的機構は、装填口に通す方向に直交においてそれぞれ対応する寸法を有し、
第３のインクスティックの第４の構造的機構の前記対応する寸法は、第１のインクスティックの第２の構造的機構と第２のインクスティックの第３の構造的機構との前記対応する寸法より大きく、
第２のインクスティックの第３の構造的機構の前記対応する寸法は、第１のインクスティックの第２の構造的機構の前記対応する寸法より大きい、インクスティックセット。
【請求項７】
複数の相変化インク画像形成デバイスであって、
第１の色を有するインクスティックを受けるための装填口が設けられたキープレートを有する第１のインクローダを含む相変化インク画像形成デバイスの第１のモデルと、
第１のインク色を有するインクスティックを受けるための装填口が設けられたキープレートを有する第２のインクローダを含む相変化インク画像形成デバイスの第２のモデルと、
を有し、
前記第１のインクローダの装填口は、
第１の色を持つインクスティックとして識別する、インクスティックの突出部を受け入れる第１の構造的機構と、
相変化インク画像形成デバイスの第１及び第２のモデルに適合した第１のインクスティックとして識別する、第１のインクスティックの突出部を受け入れ、相変化インク画像形成デバイスの第１のモデルに適合せずに第２のモデルに適合した第２のインクスティックとして識別する、第２のインクスティックの突出部の挿入を遮断する第２の構造的機構と、
を有し、
前記第２のインクローダの装填口は、
第１の色を持つインクスティックとして識別する、インクスティックの突出部を受け入れる第１の構造的機構と、
相変化インク画像形成デバイスの第１及び第２のモデルに適合した第１のインクスティックとして識別する、第１のインクスティックの突出部を受け入れ、相変化インク画像形成デバイスの第１のモデルに適合せずに第２のモデルに適合した第２のインクスティックとして識別する、第２のインクスティックの突出部を受け入れる第２の構造的機構と、
を有し、
第１及び第２のインクローダの装填口は、第２のキープレートに設けられる装填口の第２の構造的機構の形状を除き、第１の色を有する第１及び第２のインクスティックのために、ほぼ同一形状に形成される、相変化インク画像形成デバイス
【請求項８】
相変化インク画像形成デバイスの複数のモデルに用いられるインクスティックであって、
予め決定されたインク色を有するインクスティックボディと、
前記インクスティックボディの装填縁に形成された第１の構造的機構であって、前記予め決定されたインク色を有するインクスティックとして認識するように構成された第１の構造的機構と、
前記インクスティックボディの装填縁に形成された第２の構造的機構であって、相変化インク画像形成デバイスの第１のモデルのインクローダへの装填口に前記インクスティックを通すことを不可能にし、相変化インク画像形成デバイスの第２のモデルのインクローダへの装填口に前記インクスティックを通すことを不可能にする第２の構造的機構と、
前記インクスティックボディの装填縁とほぼ同一になるように形成された装填縁を有する他のインクスティックボディと、
を有し、
前記他のインクスティックボディの装填縁は、第２の構造的機構の形状を除き、相変化インク画像形成デバイスの第１のモデルの装填口への挿入を遮断し、相変化インク画像形成デバイスの第２のモデルのインクローダの装填口へ挿入することを不可能にする、インクスティック。
【請求項９】
請求項８に記載のインクスティックであって、
第２の構造的機構は、相変化インク画像形成デバイスの第１のモデルの装填口への挿入が遮断される他のインクスティックボディに形成される構造的機構より小さい寸法を有する、インクスティック。
【請求項１０】
請求項９に記載のインクスティックであって、
第１の構造的機構は、インクスティックの装填縁上の第１の位置に設けられた第１の突出部であり、
第２の構造的機構は、インクスティックの装填縁上の第２の位置に設けられた第２の突出部である、インクスティック。